(57)【要約】      （修正有）【課題】優れたマッサージ効果を奏するマッサージ器具を提供する。【解決手段】主にマッサージ器具３へ凸型粒３１を設け、該マッサージ器具３を手に持ち、マッサージ器具３が具有する凸型粒３１を人体のマッサージを欲する位置へ当てて、更に下へ向かって圧力を加えながらわずかに揺り動かすことにより凸型粒３１がツボを押さえ、優れたマッサージ効果を達成し、前記マッサージ器具が具有する凸型粒３１内に磁石３２を設け、磁気によるマッサージ効果も具有することを特徴とし、さらに、前記マッサージ器具内側にマッサージ体２を設け、揺れ動かしてマッサージすることに用いることを特徴とする。【選択図】図３
0003102468.tif 000002
【実用新案登録請求の範囲】
【請求項１】
マッサージ器具へ凸型粒を設け、該マッサージ器具を手に持ち、マッサージ器具が有する凸型粒を人体のマッサージを欲する位置へ当てて、更に下へ向かって圧力を与えながらわずかに揺り動かすことにより凸型粒が人体のツボを指圧する優れたマッサージ効果を達成することを特徴とするマッサージ器具。
【請求項２】
前記マッサージ器具が具有する凸型粒内に磁石を設け、磁気によるマッサージ効果も具有することを特徴とする請求項１に記載のマッサージ器具。
【請求項３】
前記マッサージ器具内側にマッサージ体を設け、揺れ動かしてマッサージすることに用いることを特徴とする請求項１に記載のマッサージ器具。
【考案の詳細な説明】
【技術分野】
【０００１】
本考案は主にマッサージ器具へ凸型粒を設け、該マッサージ器具を手に持ち、マッサージ器具が有する凸型粒を人体のマッサージを欲する位置へ当てて、更に下へ向かって圧力を与えながらわずかに揺り動かすことにより凸型粒が人体を指圧する優れたマッサージ効果を達成するマッサージ器具に関する。
【背景技術】
【０００２】
公知のマッサージ器具は、図１に示すように、主に二つの台１０を設け、該二つの台１０の間に二つの軸桿１１を設け、該二つの軸桿１１へ複数の突起柱１２を設け、各突起柱１２の縦横へ等間隔の溝１３を設け、例として、使用者がマッサージ器具１を手に持ち、人体のマッサージを欲する位置（例えば、肩、首、脊突起柱、背、手、脚、・・・等）へ当ててマッサージをすると、突起柱１２は下へ向かって圧力を与えながら動く。軸桿１１に取り付けた突起柱１２が回転し、該突起柱１２の表面には数個の溝１３を設けているので、マッサージ効果を達成する。
【特許文献１】特開平８−２８０７７０号公報
【考案の開示】
【考案が解決しようとする課題】
【０００３】
しかしながら、上述のような公知におけるマッサージ器具１において、以下のような欠点がある。
突起柱１２の壁面が平らで真っ直ぐであるため、人体に触れる面積に限りがあり、人体をマッサージする時、小さな面積ではしっかりと指圧することも難しく、マッサージ効果にも限りがでてくるため、本考案は確実に人体をマッサージするマッサージ器具の提供を課題とする。
【課題を解決するための手段】
【０００４】
本考案は、上記の課題を解決するために、本考案は下記のマッサージ器具を提供する。
それは、主にマッサージ器具へ凸型粒を設け、該マッサージ器具を手に持ち、マッサージ器具が有する凸型粒を人体のマッサージを欲する位置へ当て、更に下へ向かって圧力を与えながらわずかに揺り動かすことにより凸型粒が人体の指圧する優れたマッサージ効果を達成するマッサージ器具を提供する。  
すなわち、本考案のマッサージ器具は、
マッサージ器具へ凸型粒を設け、該マッサージ器具を手に持ち、マッサージ器具が有する凸型粒を人体のマッサージを欲する位置へ当てて、更に下へ向かって圧力を与えながらわずかに揺り動かすことにより凸型粒が人体のツボを指圧する優れたマッサージ効果を達成することを特徴とする。
また、前記マッサージ器具が具有する凸型粒内に磁石を設け、磁気によるマッサージ効果も具有することを特徴とする。
さらに、前記マッサージ器具内側にマッサージ体を設け、揺れ動かしてマッサージすることに用いることを特徴とする。
【考案の効果】
【０００５】
本考案によると、マッサージ器具に凸型粒を設け、該凸型粒が人体を指圧する優れた効果を有する。
【考案を実施するための最良の形態】
【０００６】
図２に示すように、本考案のマッサージ器具３は冂型を呈し、マッサージ器具３の上部にグリップ３０を設け、該マッサージ器具３の両側へそれぞれ凸型粒３１を設け、該凸型粒３１内に磁石３２を設け、
この他に、図３に示すように、マッサージ器具３の内側へマッサージ体２を設け、該マッサージ体２は人体工学に適合させた凹型弧状面２０を呈し、該凹型弧状面２０上へ数個のマッサージ用突起２１を設け、該マッサージ用突起２１は弧状面の凸型を呈す。
【０００７】
図４に示すように、グリップ３０を手に持ちながら、マッサージ器具３の両側へ設ける凸型粒３１を人体のツボを押したい位置へ当て、更に下へ圧力を加えながらわずかに揺り動かし、凸型粒３１は人体のツボを押さえ、且つ凸型粒３１内に設ける磁石３２が磁気によるマッサージ効果を有し、更に力を入れてマッサージすると血液が循環し、人体のツボに合わせて適正に押さえることによりコリをほぐし、血液循環を促進する効果となる。
【０００８】
この他に、図５に示すように、使用者がマッサージ器具３のグリップ３０を手に持ち、マッサージ体２を使用者がマッサージを欲するところ（例えば、肩、首、脊突起柱、背部、手部、脚部、腹部・・・等）へ当てて押し動かすことにより、振動を有するマッサージ効果となり、使用者の人体各部位のコリをほぐし、確実にマッサージする効果を達成する。
【０００９】
この他に、図６に示すように、もう一つの実施例に係る。本考案のマッサージ台４の両端側へ凸型粒４０を設け、凸型粒４０内に磁石４１を設け、マッサージ台４は溝４２を設けており、該マッサージ台４の底部へ滑り止め体４３を設ける。
【００１０】
この他に、図７に示すように、マッサージ台４の溝４２へマッサージ体５を取り付け、該マッサージ体５の表面に数個の凸型粒５０を設ける。
【００１１】
図８に示すように、使用者が足の裏のツボを押さえたい時、マッサージ台４の両端側に設ける凸型粒４０を足で踏みマッサージを欲する位置を刺激し、さらに押さえながらわずかに揺り動かすと凸型粒４０は足の裏を指圧し、また、凸型粒４０内に磁石４１を設け、磁気による効果も具え、力を入れてマッサージすると血液が循環し、足裏の適正なツボをマッサージすることにより、コリをほぐし、血液循環を促進する効果となる。
【００１２】
この他に、図９に示すように、マッサージ台４を手に持ち、該マッサージ台４の両端側に設ける凸型粒４０をマッサージを欲する位置（例えば、肩部、首部、背部・・・等）へ当てることもでき、同様のマッサージ効果を得られる。
【図面の簡単な説明】
【００１３】
【図１】公知構造の立体図である。
【図２】本考案のグリップの立体図である。
【図３】本考案のマッサージ器具の立体図である。
【図４】本考案のグリップに設ける凸型粒で肩、首を押さえる使用実施例図である。
【図５】本考案のマッサージ器具を揺り動かし脚部、腹部マッサージする使用実施例図である。
【図６】本考案のもう一つの実施例におけるマッサージ台の立体図である。
【図７】本考案のもう一つの実施例におけるマッサージ器具の立体図である。
【図８】本考案のもう一つの実施例における使用状態を示す図である。
【図９】本考案のもう一つの実施例におけるもう一つの使用状態を示す図である。
【符号の説明】
【００１４】
１      マッサージ器具
１０    台
１１    軸桿
１２    突起柱
１３    切溝
２      マッサージ体
２０    凹型弧状面
２１    マッサージ用突起
３      マッサージ器具
３０    グリップ
３１    凸型粒
３２    磁石
４      マッサージ台
４０    凸型粒
４１    磁石
４２    溝
４３    滑り止め体
５      マッサージ体
５０    凸型粒
【図１】
0003102468.tif 000003
【図２】
0003102468.tif 000004
【図３】
0003102468.tif 000005
【図４】
0003102468.tif 000006
【図５】
0003102468.tif 000007
【図６】
0003102468.tif 000008
【図７】
0003102468.tif 000009
【図８】
0003102468.tif 000010
【図９】
0003102468.tif 000011